(57)【特許請求の範囲】
【請求項１】
火災受信機より導出した２本の伝送幹線に、防災機器を接続した１または複数の中継器を接続し、上記２本の伝送幹線のうち１本は、上記火災受信機、上記中継器と電気的に接続され、上記火災受信機は、上記中継器との間で、その伝送幹線を介したポーリングをして、上記伝送幹線の通信状態を確認し、上記伝送幹線に通信異常が発生したときには、幹線切替動作をして、他方の伝送幹線を上記火災受信機、上記中継器と電気的に接続することで幹線バックアップをする構成の自動火災報知システムにおいて、
上記火災受信機は、上記伝送幹線に通信異常が発生したときには、他方の伝送幹線を、一時的に、上記火災受信機、上記中継器に電気的に接続させて、上記他方の伝送幹線の通信状態を確認した後、上記伝送幹線と上記他方の伝送幹線の通信状態を示し、それぞれの伝送幹線を介して正常に通信することができた中継器の台数を示す通信状態テーブルを作成して、正常に通信することができた中継器の台数の比較によって、それぞれの伝送幹線の通信状態を比較するようになっており、
上記他方の伝送幹線の通信状態が、上記伝送幹線の通信状態よりも良好であるときには、上記中継器に対して幹線切替信号を送出し、
この幹線切替信号を受信した中継器は、幹線切替動作をして、他方の伝送幹線と電気的に接続し、上記火災受信機は、上記中継器が上記他方の伝送幹線と電気的に接続したときには、幹線切替動作をして、上記他方の伝送幹線との電気的な接続をする自動火災報知システム。
【請求項２】
請求項１において、
上記火災受信機は、上記通信状態テーブルを参照することによって、上記伝送幹線における通信異常の発生箇所を判断して通知する自動火災報知システム。
【請求項３】
請求項１において、
上記火災受信機は、起動時には、上記他方の伝送幹線と電気的に接続して、上記中継器にリセット信号を送出した後、幹線切替動作をし、上記伝送幹線と電気的に接続して、上記中継器にリセット信号を送出し、その後は、上記伝送幹線との電気的な接続を維持する自動火災報知システム。
【請求項４】
請求項３において、
上記中継器は、起動時には、上記伝送幹線に電気的に接続し、上記伝送幹線を介したポーリングが所定時間できないときには、幹線切替動作をして上記他方の伝送幹線との電気的な接続をし、更に、上記他方の伝送幹線を介したポーリングが所定時間できないときには、上記中継器自身で上記防災機器の監視をする自動火災報知システム。
【請求項５】
請求項３または４において、
上記火災受信機より送出されたリセット信号を受信した中継器は、再起動をして上記伝送幹線と電気的に接続する自動火災報知システム。
【発明の詳細な説明】
【０００１】
【発明の属する技術分野】
本発明は、火災受信機より導出した２本の伝送幹線に、防災機器を接続した中継器を接続し、２本の伝送幹線のうち、１本を通常幹線として使用し、通常幹線に通信異常が生じたときには、他方の伝送幹線をバックアップ用幹線として切替使用する構成の自動火災報知システムの改良に関する。
【０００２】
【従来の技術】
近時、集合住宅やビル等の大規模な建物においては、自動火災報知システムが広く導入されており、このような自動火災報知システムとしては、例えば、図７に示すようなシステムがある。図７に示す自動火災報知システムは、集中監視室や管理人室などに設置された火災受信機１００より、多重信号線で構成された伝送幹線Ｌ１を導出させ、この伝送幹線Ｌ１に、火災感知器、地区音響装置、防排煙機器などの防災機器を接続した中継器２００・・・を接続することで構成されており、火災受信機１００が、伝送幹線Ｌ１を介したポーリングを中継器２００・・・との間ですることにより、伝送幹線Ｌ１の通信状態の確認をしている。
【０００３】
ところで、このような自動火災報知システムでは、伝送幹線Ｌ１に断線、短絡などの通信異常が生じたときには、伝送幹線Ｌ１を介したポーリングができないので、最近では、火災受信機１００と中継器２００・・・との間におけるポーリング動作を保証するために、図８に示すようなシステムが開発され使用されている。
【０００４】
このものでは、火災受信機１００より２本の伝送幹線Ｌ１，Ｌ２を導出させ、この伝送幹線Ｌ１，Ｌ２に中継器２００・・・を接続することで構成されており、伝送幹線Ｌ１を通常の運用幹線として使用する一方、伝送幹線Ｌ２をバックアップ用幹線として使用するようにしている。運用幹線として使用している伝送幹線Ｌ１に、断線や短絡が発生したときには、火災受信機１００と中継器２００・・・は、接点回路Ａを開いて、伝送幹線Ｌ１との電気的な接続を遮断するとともに、接点回路Ｂを閉じて、伝送幹線Ｌ２のと電気的な接続をすることで、幹線切替動作を行い幹線バックアップをするようになっている。
【０００５】
【発明が解決しようとする課題】
ところで、上記従来の自動火災報知システムでは、運用幹線として使用している伝送幹線Ｌ１に関しては、その幹線Ｌ１を介したポーリングにより、幹線Ｌ１の通信状態を常時確認できるようになっているが、バックアップ用幹線として使用するべき伝送幹線Ｌ２に関しては、その通信状態を確認することができないので、幹線切替動作を行い幹線バックアップをしたときに、伝送幹線Ｌ２の通信状態が良好でなければ、システムにおけるポーリング動作がより悪化し、また、運用する幹線を元に戻すこともできず、更に、伝送幹線Ｌ１，Ｌ２における通信異常の発生箇所を判断することもできなかった。
【０００６】
また、幹線バックアップを開始してから完了するまでの間は、中継器２００・・・が火災受信機１００に対して送出すべき信号（火災信号など）は消失してしまうので、システムの安全性に問題が生じていた。更に、火災受信機１００と中継器２００・・・は、すべて同一の伝送幹線Ｌ１，Ｌ２に接続する必要があり、例えば、幹線バックアップが完了してから、ある中継器２００を新規に起動させた場合には、火災受信機１００はバックアップ用幹線に、新規に起動させた中継器２００は運用幹線にそれぞれ電気的に接続された状態となってしまい、火災受信機１００は、その中継器２００との間でポーリングをすることができなくなってしまう。
【０００７】
本発明は、上記事情を解決するような自動火災報知システムを提供することを目的としている。
【課題を解決するための手段】
【０００８】
上記目的を達成するために、請求項１に係る自動火災報知システムでは、火災受信機は、上記伝送幹線に通信異常が発生したときには、他方の伝送幹線を、一時的に、上記火災受信機、上記中継器に電気的に接続させて、上記他方の伝送幹線の通信状態を確認した後、上記伝送幹線と上記他方の伝送幹線の通信状態を示し、それぞれの伝送幹線を介して正常に通信することができた中継器の台数を示す通信状態テーブルを作成して、正常に通信することができた中継器の台数の比較によって、それぞれの伝送幹線の通信状態を比較するようになっており、上記他方の伝送幹線の通信状態が、上記伝送幹線の通信状態よりも良好であるときには、上記中継器に対して幹線切替信号を送出し、この幹線切替信号を受信した中継器は、幹線切替動作をして、他方の伝送幹線と電気的に接続し、上記火災受信機は、上記中継器が上記他方の伝送幹線と電気的に接続したときには、幹線切替動作をして、上記他方の伝送幹線との電気的な接続をすることを特徴とする。
【０００９】
請求項２に係る自動火災報知システムでは、上記火災受信機は、上記通信状態テーブルを参照することによって、上記伝送幹線における通信異常の発生箇所を判断して通知することを特徴とする。
請求項３に係る自動火災報知システムでは、上記火災受信機は、起動時には、上記他方の伝送幹線と電気的に接続して、上記中継器にリセット信号を送出した後、幹線切替動作をし、上記伝送幹線と電気的に接続して、上記中継器にリセット信号を送出し、その後は、上記伝送幹線との電気的な接続を維持することを特徴とする。
【００１０】
請求項４に係る自動火災報知システムでは、中継器は、起動時には、上記伝送幹線に電気的に接続し、上記伝送幹線を介したポーリングが所定時間できないときには、幹線切替動作をして上記他方の伝送幹線との電気的な接続をし、更に、上記他方の伝送幹線を介したポーリングが所定時間できないときには、上記中継器自身で上記防災機器の監視をすることを特徴とする。
【００１１】
請求項５に係る自動火災報知システムでは、上記火災受信機より送出されたリセット信号を受信した中継器は、再起動をして上記伝送幹線と電気的に接続することを特徴とする。
【００１２】
【発明の実施の形態】
以下に、本発明の実施の形態について、図面とともに説明する。図１は、本発明の自動火災報知システムの要部構成の一例を示す図である。このものは、火災受信機１より２本の伝送幹線Ｌ１，Ｌ２を導出させ、この伝送幹線Ｌ１，Ｌ２に中継器２を接続し、伝送幹線Ｌ１を通常の運用幹線として使用する一方、伝送幹線Ｌ２をバックアップ用幹線として使用するようにしている点は、先に従来例として説明した自動火災報知システム（図８参照）と同様であるが、以下の各シーケンスを実行することができる点に特徴があり、順次説明する。なお、このシステムでは、伝送幹線Ｌ１を通常の運用幹線として使用する一方、他方の伝送幹線Ｌ２をバックアップ用幹線として使用するようにしているが、本発明はこの例に限られず、他方の伝送幹線Ｌ２を通常の運用幹線として使用する一方、伝送幹線Ｌ１をバックアップ用幹線として使用するようにしてもよい。
【００１３】
まず、本発明は、図２に示す幹線確認シーケンスを実行することができる。通常は、火災受信機１と中継器２（＃１）・・・は、各々の接点回路Ａを閉じる一方、接点回路Ｂを開いた状態、すなわち、伝送幹線Ｌ１と電気的に接続した状態で、火災受信機１が、伝送幹線Ｌ１を介して、中継器２に（ａ）生存確認信号を送出してポーリングを行い、それに対する返信信号の有無によって、火災受信機１が、中継器２（＃１）・・・の各々との間で、伝送幹線Ｌ１を介してポーリングできたか否か（以降、伝送幹線Ｌ１の通信状態という）の確認をしている。
【００１４】
火災受信機１は、定期的、すなわち予め設定された所定時間毎に、伝送回線Ｌ１を介して中継器２（＃１）・・・に、後述する時間情報（任意設定可能）を含む（ｂ）幹線一時切替信号を送出し、これを受けた中継器２（＃１）・・・は、接点回路Ａを開いて、伝送幹線Ｌ１との電気的な接続を遮断する一方、接点回路Ｂを閉じて、伝送幹線Ｌ２と電気的に接続することで幹線切替動作を行う。
【００１５】
そして、火災受信機１は、すべての中継器２（＃１）・・・の幹線切替動作が完了したときには、接点回路Ａを開いて、伝送幹線Ｌ１との電気的な接続を遮断する一方、接点回路Ｂを閉じて、伝送幹線Ｌ２と電気的に接続することで幹線切替動作を行った後、伝送幹線Ｌ２を介して中継器２（＃１）・・・に、（ａ）生存確認信号を送出してポーリングを行い、それに対する返信信号の有無によって、火災受信機１が、中継器２（＃１）・・・の各々との間で、伝送幹線Ｌ２を介してポーリングできたか否か（以降、伝送幹線Ｌ２の通信状態という）の確認をする。
【００１６】
そして、時間情報で規定された時間ｎが経過すると、中継器２（＃１）・・・は、各々の接点回路Ｂを開いて伝送幹線Ｌ２との電気的な接続を遮断する一方、接点回路Ａを閉じて伝送幹線Ｌ１と電気的に接続することで幹線復帰動作を行う。ここで、中継器２（＃１）・・・は、幹線切替動作をしてから、幹線復帰動作をするまでの間（時間ｎの間）は、火災受信機１に送出すべき信号（火災信号など）は、そのバッファ（不図示）に一時記憶させておき、幹線復帰してから、バッファに一時記憶した信号を火災受信機１に送出するようになっている。
【００１７】
そして、火災受信機１は、中継器２（＃１）・・・の幹線復帰動作が完了したときには、接点回路Ｂを開いて、伝送幹線Ｌ２との電気的な接続を遮断する一方、接点回路Ａを閉じて、伝送幹線Ｌ１と電気的に接続することで幹線復帰動作を行った後、その伝送幹線Ｌ１を介したポーリングをして、伝送幹線Ｌ１の通信状態の確認を再開する。
【００１８】
次に、本発明は、図３に示す幹線自動切替シーケンスを実行することができる。通常は、火災受信機１と中継器２（＃１）・・・は、各々の接点回路Ａを閉じる一方、接点回路Ｂを開いた状態、すなわち、伝送幹線Ｌ１と電気的に接続した状態となっており、その状態で火災受信機１が、伝送幹線Ｌ１を介して、中継器２に（ａ）生存確認信号を送出してポーリングを行い、それに対する返信信号の有無によって、伝送幹線Ｌ１の通信状態の確認をしている。
【００１９】
ところが、伝送幹線Ｌ１に通信異常、例えば、図３に示すように、中継器２（＃６）と中継器２（＃７）との間に断線が生じたときには、図２に示す幹線確認シーケンスを実行して、伝送幹線Ｌ２の通信状態を確認し、それが終了すれば、火災受信機１は、伝送幹線Ｌ１と伝送幹線Ｌ２の通信状態の確認結果より、例えば、図４に示すような通信状態テーブルを作成する。
【００２０】
ここで、中継器２（＃６）と中継器２（＃７）との間で断線が生じると、火災１は、中継器２（＃７）〜中継器２（＃１２）との間で、伝送幹線Ｌ１を介したポーリングができなくなるので、中継器２（＃７）〜中継器２（＃１２）は、接点回路Ａを開いて、伝送幹線Ｌ１との電気的な接続を遮断するとともに、接点回路Ｂを閉じて、伝送幹線Ｌ２と電気的に接続することで幹線切替動作を行い待機するようになっている。
【００２１】
この通信状態テーブル（図４参照）は、システムに設置された中継器２（＃１）・・・の各々に対応して、火災受信機１がこれらの中継器との間で、伝送幹線Ｌ１，Ｌ２を介したポーリングが正常にできたか否かを示しており、更に、火災受信機１が伝送幹線Ｌ１，Ｌ２を介したポーリングを正常にすることのできた中継器２（＃１）・・・の台数を示している。
【００２２】
そして、火災受信機１は、作成した通信状態テーブルを参照して、双方の伝送幹線Ｌ１，Ｌ２の通信状態を比較判別する。すなわち、火災受信機１は、伝送幹線Ｌ１を介して正常にポーリングできた中継器２（＃１）・・・の台数（以下、Ｌ１側の台数という）と、伝送幹線Ｌ２を介して正常にポーリングできた中継器２（＃１）・・・の台数（以下、Ｌ２側の台数という）とを比較し、Ｌ１側の台数≧Ｌ２側の台数であれば、火災受信機１と中継器２（＃１）・・・は、何もせずにそのまま伝送幹線Ｌ１との電気的な接続を維持するが、Ｌ１側の台数＜Ｌ２側の台数であれば、火災受信機１は、伝送幹線Ｌ１を介して（ｃ）幹線切替信号を送出し、これを受けた中継器２（＃１）・・・は、接点回路Ａを開いて、伝送幹線Ｌ１との電気的な接続を遮断する一方、接点回路Ｂを閉じて、伝送幹線Ｌ２と電気的に接続することで幹線切替動作を行う。
【００２３】
そして、火災受信機１は、すべての中継器２（＃１）・・・の幹線切替動作が完了したときには、接点回路Ａを開いて、伝送幹線Ｌ１との電気的な接続を遮断する一方、接点回路Ｂを閉じて、伝送幹線Ｌ２と電気的に接続することで幹線切替動作を行った後、伝送幹線Ｌ２を介して中継器２（＃１）・・・に、（ａ）生存確認信号を送出してポーリングを行い、それに対する返信信号の有無によって、伝送幹線Ｌ２の通信状態を確認する動作を開始するとともに、作成した通信状態テーブルに基づいて、例えば、図５に示すような中継器接続状態表を表示して、伝送幹線Ｌ１，Ｌ２と中継器２（＃１）・・・との間における接続状態を管理人等に通知する。
【００２４】
この中継器接続状態表には、中継器２（＃１）・・・の各々に対応して、伝送幹線Ｌ１，Ｌ２を介したポーリングが正常にできたか否かが示されており、管理人等は、この表を参照することで、伝送幹線Ｌ１，Ｌ２における通信異常の発生箇所を容易に知ることができる。次に、本発明は、図６に示す起動シーケンスを実行することができる。
【００２５】
すなわち、火災受信機１は、その起動時には、伝送幹線Ｌ２と電気的に接続して、伝送幹線Ｌ２に対してリセット信号を送出した後、幹線切替動作をし、伝送幹線Ｌ１と電気的に接続して、伝送幹線Ｌ１に対してリセット信号を送出し、その後は、伝送幹線Ｌ１との電気的な接続を維持し、その伝送幹線Ｌ１を介して中継器２（＃１）・・・との間でポーリングをするという起動シーケンスをなす。
【００２６】
一方の中継器２（＃１）・・・は、その起動時には、伝送幹線Ｌ１と電気的に接続し、火災受信機１との間で、伝送幹線Ｌ１を介したポーリングが所定時間Ｔの間できないときには、幹線切替動作をして、伝送幹線Ｌ２と電気的に接続し、更に、この状態で、火災受信機１によるポーリングが、所定時間Ｔの間できないときには、分散動作をして、中継器２（＃１）・・・自身で防災機器の監視をするという起動シーケンスをなす。
【００２７】
中継器２（＃１）・・・は、このような起動シーケンスをなすことで起動するようになっているが、火災受信機１より、先述した（ｄ）リセット信号を受信すると、再起動を行い、伝送幹線Ｌ１と電気的に接続する。
【発明の効果】
【００２８】
以上の説明からも理解できるように、請求項１に係る自動火災報知システムによれば、伝送幹線に通信異常が発生したときには、他方の伝送幹線の通信状態を確認した後、伝送幹線と他方の伝送幹線との双方の通信状態を示す通信状態テーブルを作成し、このテーブルを参照することで、どちらの伝送幹線の通信状態が良好かを比較判別し、良好な方の伝送幹線を使用するようにしているので、常に最良の通信状態を確保することができる。
【００２９】
請求項２に係る自動火災報知システムによれば、火災受信機は、通信状態テーブルを参照することによって、伝送幹線における通信異常の発生箇所を判断して通知するので、管理人などはこの通知を受けて、即座に修理等の対応をすることができる。請求項３に係る自動火災報知システムによれば、火災受信機は、その起動時には、他方の伝送幹線と電気的に接続して、中継器にリセット信号を送出した後、幹線切替動作をし、伝送幹線と電気的に接続して、中継器にリセット信号を送出し、その後は、伝送幹線との電気的な接続を維持するので、中継器を強制的に伝送幹線に電気的に接続させることができ、火災受信機、中継器をすべて、伝送幹線と電気的に接続させた状態で、システムを運用することができる。
【００３０】
請求項４に係る自動火災報知システムによれば、中継器は、その起動時には、伝送幹線に電気的に接続し、伝送幹線を介したポーリングが所定時間できないときには、幹線切替動作をして他方の伝送幹線と電気的に接続するので、他方の伝送回線を運用中に、中継器を起動したときには、中継器は、所定時間経過後には、強制的に他方の伝送回線に電気的に接続され、すべての中継器を他方の伝送回線に電気的に接続した状態で運用することができる。
また、火災受信機の未起動、あるいは他方の伝送幹線の通信異常により、他方の伝送幹線を介したポーリングが所定時間できないときには、中継器自身で防災機器の監視をするので、システムの安全性をより確固たるものにできる。
【００３１】
請求項５に係る自動火災報知システムによれば、火災受信機より送出されたリセット信号を受信した中継器は、再起動をして伝送幹線と電気的に接続するので、すべての中継器が同一の伝送幹線と電気的に接続した状態で、システムを運用することができる。
【図面の簡単な説明】
【００３２】
【図１】本発明の自動火災報知システムの要部構成の一例を示す図である。
【図２】幹線確認シーケンスについて説明するための図である。
【図３】幹線切替シーケンスについて説明するための図である。
【図４】通信状態テーブルの構成の一例を示す図である。
【図５】伝送回線における通信異常の発生箇所の通知態様の一例を示す図である。
【図６】起動シーケンスについて説明するための図である。
【図７】従来の自動火災報知システムの要部構成を示す図である。
【図８】従来の自動火災報知システムの要部構成を示す図である。
【符号の説明】
【００３３】
１・・・火災受信機
２・・・中継器
Ｌ１・・・伝送幹線
Ｌ２・・・他方の伝送幹線
【図１】
0003963060.tif 000002
【図２】
0003963060.tif 000003
【図３】
0003963060.tif 000004
【図４】
0003963060.tif 000005
【図５】
0003963060.tif 000006
【図６】
0003963060.tif 000007
【図７】
0003963060.tif 000008
【図８】
0003963060.tif 000009